(57)【要約】【課題】本発明は、導光板およびその導光板を採用したバックライトユニットを開示する。【解決手段】  本導光板は、それぞれ複数の細長溝および貫通溝を有する。細長溝および貫通溝は、共通の配置方法により導光板の一面で複数の出光領域を仕切る。そのほか貫通溝には、それぞれサイドビュー光源ユニットが入る。各サイドビュー光源ユニットは、その貫通溝内で対応する出光領域に向かって発光する。【選択図】図１
2011138758.tif 000002
【特許請求の範囲】
【請求項１】
導光本体を含む導光板であって、
該導光本体が、一体成型の単一の板体であり、複数の細長溝および貫通溝を有し、該複数の細長溝および貫通溝が複数の出光領域を仕切り、
複数のサイドビュー光源ユニットが、該貫通溝内に位置する
ことを特徴とする、導光板。
【請求項２】
該出光領域が、アレイ方式により該単一の板体の一面に等間隔に配置されることを特徴とする、請求項１に記載の導光板。
【請求項３】
該細長溝および該貫通溝が、アレイの配置方法により該単一の板体の一面に設けられ、任意の該貫通溝の配置方向および任意の該細長溝の配置方向が、相互に垂直であることを特徴とする、請求項１に記載の導光板。
【請求項４】
該各細長溝の幅が、該各貫通溝の幅より小さいことを特徴とする、請求項１に記載の導光板。
【請求項５】
該細長溝が、該単一の板体を貫通することを特徴とする、請求項１に記載の導光板。
【請求項６】
該細長溝が、該単一の板体を貫通しないことを特徴とする、請求項１に記載の導光板。
【請求項７】
該細長溝の断面が、Ｖ字型またはＵ字型を呈することを特徴とする、請求項６に記載の導光板。
【請求項８】
該導光本体が、該貫通溝の内壁それぞれに光学微細構造を有することを特徴とする、請求項１に記載の導光板。
【請求項９】
該光学微細構造が、突出状、陥入状、球面状、または鋸歯状を呈することを特徴とする、請求項８に記載の導光板。
【請求項１０】
該導光本体が、該貫通溝の内壁それぞれに光遮断構造を有することを特徴とする、請求項１に記載の導光板。
【請求項１１】
該光遮断構造が、反射片または噴霧処理による艶消し構造であることを特徴とする、請求項１０に記載の導光板。
【請求項１２】
導光本体含む導光板であって、
該導光本体が、複数の板体をつなぎ合わせ、結合して形成され、複数の細長溝および貫通溝を有し、該複数の細長溝および貫通溝が複数の出光領域を仕切り、
複数のサイドビュー光源ユニットが、該貫通溝内に位置する
ことを特徴とする、導光板。
【請求項１３】
該出光領域が、アレイ方式により該板体に等間隔に配置されることを特徴とする、請求項１２に記載の導光板。
【請求項１４】
該細長溝および該貫通溝が、アレイの配置方法により該板体の一面に設けられ、さらに任意の該貫通溝の配置方向および任意の該細長溝の配置方向が、相互に垂直であることを特徴とする、請求項１２に記載の導光板。
【請求項１５】
該各細長溝の幅が、該各貫通溝の幅より小さいことを特徴とする、請求項１２に記載の導光板。
【請求項１６】
該細長溝が、該板体を貫通することを特徴とする、請求項１２に記載の導光板。
【請求項１７】
該細長溝が、該板体を貫通しないことを特徴とする、請求項１２に記載の導光板。
【請求項１８】
該細長溝の断面が、Ｖ字型またはＵ字型を呈することを特徴とする、請求項１７に記載の導光板。
【請求項１９】
該導光本体が、該貫通溝の内壁それぞれに光学微細構造を有することを特徴とする、請求項１２に記載の導光板。
【請求項２０】
該光学微細構造が、突出状、陥入状、球面状、または鋸歯状を呈することを特徴とする、請求項１９に記載の導光板。
【請求項２１】
該導光本体が、該貫通溝の内壁それぞれに光遮断構造を有することを特徴とする、請求項１２に記載の導光板。
【請求項２２】
該光遮断構造が、反射片または噴霧処理による艶消し構造であることを特徴とする、請求項２１に記載の導光板。
【請求項２３】
該板体のうちの１つが第１結合部を有し、該板体の別の１つが第２結合部を有し、該第２結合部および該第１結合部が相互に整合し、相互につなぎ合わされ、結合することを特徴とする、請求項１２に記載の導光板。
【請求項２４】
該第１結合部および該第２結合部の間に、反射ユニットを有することを特徴とする、請求項２３に記載の導光板。
【請求項２５】
導光板、光源パネルおよび複数のサイドビュー光源ユニットを含むバックライトユニットであって、
該導光板が導光本体を含み、
該導光本体が、複数の細長溝および貫通溝を有し、該複数の細長溝および貫通溝が複数の出光領域を仕切り、
該光源パネルが、該導光本体の片面に重なり、
該複数のサイドビュー光源ユニットが、該光源パネルに配置され、それぞれ該貫通溝内に位置し、該出光領域のうちの１つに向かって発光する
ことを特徴とする、バックライトユニット。
【請求項２６】
該出光領域が、アレイ方式により該導光本体に等間隔に配置されることを特徴とする、請求項２５に記載のバックライトユニット。
【請求項２７】
該細長溝および該貫通溝が、アレイの配置方法により該導光本体の一面に設けられ、さらに任意の該貫通溝の配置方向および任意の該細長溝の配置方向が、相互に垂直であることを特徴とする、請求項２５に記載のバックライトユニット。
【請求項２８】
該各細長溝の幅が、該各貫通溝の幅より小さいことを特徴とする、請求項２５に記載のバックライトユニット。
【請求項２９】
該細長溝が、該導光本体を貫通することを特徴とする、請求項２５に記載のバックライトユニット。
【請求項３０】
該細長溝が、該導光本体を貫通しないことを特徴とする、請求項２５に記載のバックライトユニット。
【請求項３１】
該細長溝の断面が、Ｖ字型またはＵ字型を呈することを特徴とする、請求項３０に記載のバックライトユニット。
【請求項３２】
該導光本体が、該貫通溝のうちの１つの内壁に光学微細構造を有し、該光学微細構造が、該サイドビュー光源ユニットの発光面に面することを特徴とする、請求項２５に記載のバックライトユニット。
【請求項３３】
該光学微細構造が、突出状、陥入状、球面状、または鋸歯状を呈することを特徴とする、請求項３２に記載のバックライトユニット。
【請求項３４】
該導光本体が、該貫通溝のうちの１つの内壁に光遮断構造を有し、該光遮断構造が、該サイドビュー光源ユニットの発光面と反対向きに面することを特徴とする、請求項２５に記載のバックライトユニット。
【請求項３５】
該光遮断構造が、反射片または噴霧処理による艶消し構造であることを特徴とする、請求項３４に記載の導光板。
【請求項３６】
該導光本体が、一体成型の単一の板体であることを特徴とする、請求項２５に記載のバックライトユニット。
【請求項３７】
該導光本体が、複数の板体をつなぎ合わせ、結合して形成されることを特徴とする、請求項２５に記載のバックライトユニット。
【請求項３８】
該板体のうちの１つが第１結合部を有し、該板体の別の１つが第２結合部を有し、該第２結合部および該第１結合部が相互に整合し、相互につなぎ合わされ、結合することを特徴とする、請求項３７に記載のバックライトユニット。
【請求項３９】
該第１結合部および該第２結合部の間に、反射ユニットを有することを特徴とする、請求項３８に記載のバックライトユニット。
【発明の詳細な説明】
【技術分野】
【０００１】
本発明はディスプレイのバックライトユニット、特に液晶ディスプレイのバックライトユニットおよびその導光板に関する。
【背景技術】
【０００２】
液晶ディスプレイは平面光源の発光方式（例えば外部電極蛍光灯、Ｅｘｔｅｒｎａｌ  Ｅｌｅｃｔｒｏｄｅ  Ｆｌｕｏｒｅｓｃｅｎｔ  Ｌａｍｐ、ＥＥＦＬ、または冷陰極管、Ｃｏｌｄ  Ｃａｔｈｏｄｅ  Ｆｌｕｏｒｅｓｃｅｎｔ  Ｌａｍｐ、ＣＣＦＬ）を採用しているため、液晶ディスプレイの領域すべてを全面的に点灯するか、暗くすることしかできず、それぞれの領域に、異なる輝度変化を生じさせることができない。
【０００３】
当業界で、局所輝度制御（Ｌｏｃａｌ  Ｄｉｍｍｉｎｇ）技術が打ち出されたことにより、液晶ディスプレイのバックライト光源において、異なる領域に、異なる輝度レベルで明暗の変化をつけることが可能となった。さらに電気消費量の低下、ディスプレイのコントラスト比およびグレースケールの向上、残像の軽減などの効果を有する。
【０００４】
しかし、１２本のＣＣＦＬ蛍光灯を採用し、バックライト光源とした液晶ディスプレイパネルを例とすると、このバックライト光源では、ＣＣＦＬ蛍光灯が対応する１２カ所の領域において、異なる輝度レベルで明暗の変化を制御することしかできない。さらにＣＣＦＬ蛍光灯の点滅速度には限りがあり、その点滅速度を強制的に加速させるとＣＣＦＬ蛍光灯の製品寿命が低下する。
【０００５】
現在、液晶ディスプレイのバックライト光源は、導光板（ｌｉｇｈｔ  ｇｕｉｄｅ  ｐｌａｔｅ、ＬＧＰ）を組み合わせて使用する。しかし、液晶ディスプレイは上述の局所輝度制御技術と組み合わせて、液晶ディスプレイパネルの特定の領域を点灯させるとき、この特定領域の光線は、導光板によって付近の領域に誘導されてしまい、この特定領域および付近の領域間の輝度コントラストの効果が弱まることがある。
【０００６】
一般に、複数の導光板を組み立てるか、接合する方法を採用して、そのサイズまたは形状に対する要求を満たしている。しかし、この方法では導光板の間の継ぎ目部分に輝線が生じ、それぞれの領域間における輝度コントラストの効果が弱まることがある。
【０００７】
これらのことを考慮して、上述した欠点および不便を効果的に改善する解決方法を提出する。実際、当業者にとっては一刻の猶予もない重要な課題である。
【発明の概要】
【発明が解決しようとする課題】
【０００８】
本発明は、導光板およびその導光板を採用したバックライトユニットを開示する。これにより、ディスプレイの局所輝度制御（Ｌｏｃａｌ  Ｄｉｍｍｉｎｇ）技術と組み合わせて使用するとき、それぞれの領域の異なる輝度コントラストが強化される。
【課題を解決するための手段】
【０００９】
本バックライトユニットは、導光板および光源パネルを含む。導光板は導光本体、複数の細長溝および複数の貫通溝を含む。細長溝および貫通溝は、それぞれ導光本体に設けられ、共同で複数の出光領域を仕切る。光源パネルは導光本体の片面に重なり、独立制御のサイドビュー光源ユニットを複数有する。サイドビュー光源ユニットは、光源パネルの一面に配置され、それぞれ１対１で貫通溝内に入ることにより、１つの出光領域に横向きに発光する。
【００１０】
本発明の実施例では、出光領域はアレイ方式により、導光本体に等間隔に配置される。
【００１１】
本発明の別の実施例では、細長溝および貫通溝は、それぞれアレイの配置方法により、導光本体の一面に設けられる。任意の貫通溝の配置方向および任意の細長溝の配置方向は、相互に垂直である。
【００１２】
本発明の他の実施例では、細長溝の幅は貫通溝の幅より小さい。
【００１３】
本発明の他の実施例では、細長溝は導光本体を貫通する。
【００１４】
本発明の他の実施例では、細長溝は導光本体を貫通しない。
【００１５】
本発明の他の実施例では、導光本体はそれぞれ貫通溝の内壁に、光学微細構造および光遮断構造を有する。
【００１６】
本発明の他の実施例では、導光本体は一体成型の単一の板体である。
【００１７】
本発明の他の実施例では、導光本体は複数の板体をつなぎ合わせ、結合して形成される。本実施例において、そのうちの１つの板体は第１結合部を有し、別の１つの板体は第２結合部を有する。第２結合部および第１結合部は相互に整合し、相互につなぎ合わされ結合する。そのほか、第１結合部および第２結合部の間に、反射ユニットを有する。
【００１８】
このように、貫通溝および細長溝が複数の出光領域を仕切り、本発明を局所輝度制御（Ｌｏｃａｌ  Ｄｉｍｍｉｎｇ）技術と組み合わせて使用する。任意の出光領域の発光を制御するとき、付近の出光領域の輝度コントラストに対する影響が軽減する。
【図面の簡単な説明】
【００１９】
本発明の上述およびその他の目的、特徴、長所と実施例をさらに分かりやすくするため、添付する図の詳細な説明を以下の通りに行う。
【００２０】
【図１】図１は、本発明の導光板およびその導光板を採用したバックライトユニットの実施例における、俯瞰図および部分拡大図である。
【図２】図２は、図１の断面線２−２に沿った断面図および光線運動図である。
【図３】図３は、本発明の導光板およびその導光板を採用したバックライトユニットの別の実施例における側面図である。
【図４Ａ】図４Ａは、図１の断面線４−４に沿った断面図（１）である。
【図４Ｂ】図４Ｂは、図１の断面線４−４に沿った断面図（２）である。
【図４Ｃ】図４Ｃは、図１の断面図４−４に沿った断面図（３）である。
【発明を実施するための形態】
【００２１】
以下に、図および詳細な説明により、本発明の趣旨を明確に説明する。当業者が本発明の実施例を理解したのち、本発明が示す技術によって、変更および修飾を行うとき、それは本発明の趣旨および範囲から逸脱しないものとする。
【実施例】
【００２２】
図１を参照されたい。図１は、本発明の導光板およびその導光板を採用したバックライトユニットの実施例における、俯瞰図および部分拡大図である。バックライトユニット１００は、導光板２００および光源パネル７００を含む。導光板２００は、導光本体３００、複数の細長溝４００および複数の貫通溝５００を含む。細長溝４００および貫通溝５００は、それぞれ導光本体３００に設けられ、共同で複数の出光領域６００を仕切る。貫通溝５００は、それぞれ導光本体３００の一面から導光本体３００の別の面まで貫通する。光源パネル７００は、導光本体３００の片面に重なり、独立制御のサイドビュー光源ユニット８００（例えばサイドビュー発光ダイオード、ｓｉｄｅ−ｖｉｅｗ  ＬＥＤ）を複数有する。サイドビュー光源ユニット８００は、光源パネル７００に配置され、それぞれ１対１で貫通溝５００内に入る。これにより、１つの出光領域６００に向かって横向きに発光する。
【００２３】
このように、任意のサイドビュー光源ユニット８００は、貫通溝５００内で１つの出光領域６００に向かって発光する。出光領域６００は、その光線を外部に誘導する。
【００２４】
出光領域６００は、それぞれ細長溝４００および貫通溝５００に仕切られる。さらに細長溝４００と貫通溝５００は、適当な距離および空間を有するため、出光領域６００内の光線が、細長溝４００および貫通溝５００を介して、隣接する別の出光領域６００に容易に伝わることはない。
【００２５】
このように、細長溝４００および貫通溝５００は、導光板２００上で良好な光分割効果を示す。さらに本発明を局所輝度制御（Ｌｏｃａｌ  Ｄｉｍｍｉｎｇ）技術と組み合わせるとき、出光領域６００間の異なる輝度コントラストが向上する。
【００２６】
再び図１を参照されたい。本発明の実施例において、細長溝４００は、アレイの配置方法により導光本体３００の一面に設けられ、貫通溝５００も、別のアレイの配置方法により導光本体３００の同一面に設けられる。さらに具体的に説明すると、任意の貫通溝５００の配置方向および任意の細長溝４００の配置方向は、相互に垂直であり、任意の２つの細長溝４００間の隙間は、任意の２つの貫通溝５００間の隙間と重なり合う。実際、任意の貫通溝５００および任意の細長溝４００は互いに通じない。
【００２７】
例を挙げると、貫通溝５００は、多縦列の配置方法により導光本体３００の該面に均等に配置され、この縦列は互いに平行である。細長溝４００は、横並びの配置方法により導光本体３００の該面に均等に配置され、この横並びは互いに平行である。
【００２８】
このように、貫通溝５００の配置方向および細長溝４００の配置方向は、相互に垂直である。細長溝４００および貫通溝５００が、共同で仕切ることにより形成される出光領域６００は、例えば長方形を呈しており、アレイ方式により導光本体３００上に等間隔に配置される。
【００２９】
図２を参照されたい。図２は、図１の断面線２−２に沿った断面図および光線運動図である。本発明の別の実施例では、任意の貫通溝５００内のサイドビュー光源ユニット８００の発光面が面する内壁に、光学微細構造５１０が設けられる。光学微細構造５１０は、例えば突出状、陥入状、球面状または鋸歯状などを呈する。サイドビュー光源ユニット８００が発する光線は、より多くの屈折が生じ、サイドビュー光源ユニット８００が発する光線を均一化する。
【００３０】
そのほか、再び図２を参照されたい。本発明の別の実施例では、任意の貫通溝５００内のサイドビュー光源ユニット８００の発光面と反対向きに面する内壁に、光遮断構造５２０が設けられる。光遮断構造５２０が、隣接する光線の透過を遮断することにより、それぞれの領域の異なる輝度コントラストを強める。光遮断構造５２０は、例えば噴霧処理による内壁の艶消し構造、または独立した反射片でもよく、反射片は付近の光線をさらに反射する。
【００３１】
再び図１を参照されたい。本発明の他の実施例において、導光本体３００の表面は平滑状または粒状でもよい。さらに導光本体３００の数量は制限されず、一体成型の単一の板体３１０でもよい。
【００３２】
図３を参照されたい。図３は、本発明の導光板およびその導光板を採用したバックライトユニットの別の実施例における側面図である。導光本体３００は、複数の板体をつなぎ合わせ、結合して形成される。例を挙げると、導光本体３００は、第１板体３２０および第２板体３３０をつなぎ合わせて形成される。第１板体３２０は、第１結合部３２２を有し、第２板体３３０は第２結合部３３２を有する。第２結合部３３２および第１結合部３２２が相互に整合することにより、相互に組み合う。本実施例において、第１結合部３２２および第２結合部３３２の間は、選択的に反射ユニット３４０が設けられる。反射ユニット３４０は、第１板体３２０および第２板体３３０の間の継ぎ目部分に輝線が生じるのを防止し、さらにはそれぞれの領域の輝度コントラストを向上させる。
【００３３】
説明に値することは、本発明において、細長溝４００の導光本体３００表面での外観は制限されず、基本的に長方形、楕円形、または多角形などである。実際の要求または制限に応じて調整を行う。
【００３４】
本発明は、細長溝４００が導光本体３００を貫通する必要があるかどうかについても制限しない。図４Ａを参照されたい。図４Ａは、図１の断面線４−４に沿った断面図（１）である。このように、細長溝４００が導光本体３００を貫通し、空洞の細長溝４０１が出現するとき、各出光領域６００内の光線は、空洞の細長溝４０１に効果的に遮断される。
【００３５】
反対に、図４Ｂおよび図４Ｃを参照されたい。図４Ｂは、図１の断面線４−４に沿った断面図（２）である。図４Ｃは、図１の断面線４−４に沿った断面図（３）である。細長溝４００が導光本体３００を貫通しないとき、細長溝４００は、例えば断面がＶ字型を呈するＶ型の細長溝４０２（図４Ｂ）、または断面がＵ字型を呈するＵ型の細長溝４０３（図４Ｃ）である。しかしながら、上述の細長溝４００の断面はこれに限定されず、実際の要求または制限に応じて調整を行う。
【００３６】
本発明において、貫通溝５００の導光本体３００表面での外観は制限されず、基本的に長方形（図１）、楕円形（図示せず）、または多角形（図示せず）などである。サイドビュー光源ユニット８００を入れることができればよく、実際の要求または制限に応じて調整を行う。
【００３７】
再び図１を参照されたい。貫通溝５００にサイドビュー光源ユニット８００を入れる必要があるため、貫通溝５００のサイズは、サイドビュー光源ユニット８００が入ることが可能であることを原則とする。そのほか、本発明において、貫通溝５００のサイズは制限されない。細長溝４００は、サイドビュー光源ユニット８００が入る必要はなく、細長溝４００の幅Ｗ１が貫通溝５００の幅Ｗ２より小さければ、細長溝４００両端の出光領域６００の出光面積を拡大することができる。したがって、実際の要求または制限に応じて調整を行う。
【００３８】
総合すると、本発明は、貫通溝および細長溝が複数の出光領域を仕切る。本発明を局所輝度制御（Ｌｏｃａｌ  Ｄｉｍｍｉｎｇ）技術と組み合わせて使用し、任意の出光領域の発光を制御するとき、付近の出光領域の輝度コントラストに対する影響が軽減する。
【００３９】
本発明が開示した上述の各実施例は、本発明に限定されない。いかなる当業者も、本発明から逸脱しない趣旨および範囲で、各種の修正および修飾を行うべきである。したがって、本発明の保護範囲は、添付する特許申請の範囲が定めるものを基準とする。
【符号の説明】
【００４０】
１００  バックライトユニット
２００  導光板
３００  導光本体
３１０  単一の板体
３２０  第１板体
３２２  第１結合部
３３０  第２板体
３３２  第２結合部
３４０  反射ユニット
４００  細長溝
４０１  空洞の細長溝
４０２  Ｖ型の細長溝
４０３  Ｕ型の細長溝
５００  貫通溝
５１０  光学微細構造
５２０  光遮断構造
６００  出光領域
７００  光源パネル
８００  サイドビュー光源ユニット
Ｗ１  幅
Ｗ２  幅
２−２  断面線
４−４  断面線
【図１】
2011138758.tif 000003
【図２】
2011138758.tif 000004
【図３】
2011138758.tif 000005
【図４Ａ】
2011138758.tif 000006
【図４Ｂ】
2011138758.tif 000007
【図４Ｃ】
2011138758.tif 000008